(57)【特許請求の範囲】
【請求項１】
一端部が開口された縦長で有底筒状のケース本体、および、このケース本体に、前記開口を開閉可能に取り付けられた蓋体を有するケースと、粉体を、圧縮エアを用いて噴出するエアブラシと、このエアブラシにエアホースを介して圧縮エアを供給するエア供給手段と、を備え、
前記ケース本体には、その底部側に、前記エア供給手段が収納される第１収納部が設けられているとともに、開口側に、前記エアブラシおよびエアホースが収納される第２収納部が設けられ、
前記蓋体の内側に、この蓋体が前記開口を開放する位置に位置させられた状態において前記エアブラシが載置されるエアブラシ支持手段が設けられ、
前記エアブラシ支持手段には、前記エアブラシの載置状態でエアブラシの本体部分が嵌り込む凹部が形成され、
前記エアブラシは、先端に粉体噴出用のノズルを備える本体を有し、
前記第２収納部に、前記ノズルが下向き配置となるように、前記エアブラシを係止するブラシ係止手段が設けられていることを特徴とする化粧料塗布具。
【請求項２】
前記蓋体は、前記ケース本体に、ヒンジを介して取り付けられ、
前記開口の口縁は、前記ケース本体の軸方向に直行する面に対して勾配をつけて設けられ、
前記ヒンジは、前記勾配の下部側に設けられていることを特徴とする請求項１に記載の化粧料塗布具。
【請求項３】
前記エアブラシが、前記本体への圧縮エアの供給および停止を行なうエア制御レバーと、前記ノズル近傍に設けられ前記圧縮エアによって吸引される粉体が貯留された粉体カップとを備えていることを特徴とする請求項１または請求項２に記載の化粧料塗布具。
【請求項４】
前記エア供給手段が、エアコンプレッサと、このエアコンプレッサに駆動電力を供給する電源と、前記駆動電力の供給を制御するコントロールユニットとを備えていることを特徴とする請求項１ないし請求項３の何れかに記載の化粧料塗布具。
【請求項５】
前記電源が蓄電池であることを特徴とする請求項４に記載の化粧料塗布具。
【請求項６】
前記電源が二次電池であることを特徴とする請求項４に記載の化粧料塗布具。
【発明の詳細な説明】
【技術分野】
【０００１】
本発明は、化粧料塗布具に係わり、特に、液体状や粉体状の化粧料の塗布に好適に用いられる化粧料塗布具に関する。
【背景技術】
【０００２】
従来、液体状や粉体状のメイクアップ化粧料を肌へ塗布する化粧料塗布具として、手指、スポンジ、パフ、ブラシ等がある。
一方、近年では、液体状や粉体状のメイクアップ化粧料を、圧縮エアを用いて塗布することも提案されている。
【０００３】
このような圧縮エアを用いた化粧料塗布具が、例えば、特許文献１において提案されている。
【０００４】
この化粧料塗布具は、塗布具本体であるエアブラシと、化粧料を噴出させるための圧縮エアを生成するエアコンプレッサと、このエアコンプレッサにおいて生成された圧縮エアをエアブラシへ供給するエアホースと、化粧料を噴出させるノズルと、化粧料を供給する化粧料入れカップとを備えている。
【０００５】
そして、エアブラシは、圧縮エアによって形成される負圧を利用して圧縮エア内に化粧料を吸引するとともに、この化粧料を圧縮エアとともにノズルから噴出して肌へ塗布するようになっている。
【先行技術文献】
【特許文献】
【０００６】
【特許文献１】特開２０１３−４２９３０号公報
【発明の概要】
【発明が解決しようとする課題】
【０００７】
ところで、前述した従来の化粧料塗布具においては、エアブラシをエアコンプレッサにエアホースを介して接続した構成としたことにより、次のような改善すべき問題点が残されている。
【０００８】
従来の化粧料塗布具を使用する場合、エアコンプレッサ、エアブラシ、および、エアホースを作業台等に載置しておき、塗布する際に、エアブラシを、エアホースを引き延ばしながら作業台等から取り上げ、塗布を完了した際には、エアブラシを作業台上に戻す。
【０００９】
ここで、エアホースが長尺であることから、化粧料塗布具を作業台等に載置した状態においてエアホースが作業台上に広がり、作業台上を煩雑にする。
【００１０】
また、作業台上にエアブラシを戻した際に、このエアブラシが、作業台上に広がるエアホースに重なり合うように置かれてしまうために、再使用時にエアブラシを取り上げる際にエアホースが邪魔になり、迅速な作業を阻害する。
【００１１】
さらに、化粧料塗布具を収納する場合、その収納スペースを小さくするために、長尺なエアホースを巻回してエアホースの占有容積を小さくしなければならないが、その作業が繁雑なものとなる。
【００１２】
本発明は、前述した従来の問題点に鑑みてなされたもので、エアブラシとエアホースとの絡みを防止して、エアブラシの取り扱いを容易にし、かつ、収納時においてエアホースを簡便な作業によって小さく収納することの可能な化粧料塗布具を提供することを解決すべき課題とする。
【課題を解決するための手段】
【００１３】
本発明の化粧料塗布具は、前述した課題を解決するために、一端部が開口されたケース本体、および、このケース本体に、前記開口を開閉可能に取り付けられた蓋体を有するケースと、粉体を、圧縮エアを用いて噴出するエアブラシと、このエアブラシにエアホースを介して圧縮エアを供給するエア供給手段とを備える。前記ケース本体には、その底部側に、前記エア供給手段が収納される第１収納部が設けられているとともに、開口側に、前記エアブラシおよびエアホースが収納される第２収納部が設けられる。そして、前記蓋体の内側には、この蓋体が前記開口を開放する位置に位置させられた状態において前記エアブラシが載置されるエアブラシ支持手段が設けられる。
【００１４】
このような構成とすることにより、不使用時には、エアブラシおよびエアホースをケース本体の第２収納部へ収納することにより、容易にコンパクトな収納形態とすることができる。
【００１５】
使用時には、エアブラシおよびエアホースを第２収納部から取り出し、エアブラシを被塗布部へ向けるとともに、粉体を噴出させることにより塗布作業を行なう。
【００１６】
また、塗布作業を中断する際には、エアブラシを、開放状態に位置させられている蓋体に設けられているエアブラシ支持手段に載置して、エアブラシがエアホースと絡むことを防止する。
【００１７】
これによって、エアホースに邪魔されずにエアブラシを取り扱うことができ、塗布作業を円滑なものとすることができる。
【００１８】
前記第２収納部に、前記エアブラシが係止させられるブラシ係止手段を設けることが好ましい。
【００１９】
このブラシ係止手段を設けることにより、エアブラシをケース内に収納した際に、エアブラシの不要な動きを防止して安定した収納状態を保持することができるとともに、エアブラシを所定位置に保持することによりエアホースとの位置関係を明確化して、これらの醜状状態における絡みを防止することができる。
【００２０】
前記エアブラシとして、先端に粉体噴出用のノズルを備えた本体と、この本体への圧縮エアの供給および停止を行なうエア制御レバーと、前記ノズル近傍に設けられ前記圧縮エアによって吸引される粉体が貯留された粉体カップとを備えた構成のエアブラシが好適に用いられる。
【００２１】
前記エア供給手段は、エアコンプレッサと、このエアコンプレッサに駆動電力を供給する電源と、前記駆動電力の供給を制御するコントロールユニットとを備えた構成とすることができる。
【００２２】
このようなエア供給手段とすることにより、コントロールユニットで塗布作業に応じたコンプレッサの駆動を行なうことが可能となり、エアブラシへ圧縮エアを効果的に供給することができる。
【００２３】
前記電源として、蓄電池もしくは二次電池を用いることができる。
二次電池を用いる場合、二次電池からエアコンプレッサへの電力供給の制御に加えて、二次電池への充電制御をコントロールユニットによって行なう。
【発明の効果】
【００２４】
本発明によれば、エアブラシとエアホースとの絡みを防止して、エアブラシの取り扱いを容易にし、かつ、収納時においてエアホースを簡便な作業によって小さく収納することができる。
【図面の簡単な説明】
【００２５】
【図１】本発明の一実施形態の外観斜視図である。
【図２】本発明の一実施形態の縦断面図である。
【図３】本発明の一実施形態を構成するエア供給手段の概略構成図である。
【図４】本発明の一実施形態の使用状態を示す外観斜視図である。
【図５】本発明の一実施形態の使用状態を示す外観斜視図である。
【図６】本発明の一実施形態の使用状態を示す外観斜視図である。
【発明を実施するための形態】
【００２６】
以下、本発明の一実施形態について、図面を参照して説明する。
これらの図において、符号１は、本実施形態に係わる化粧料塗布具を示す。
本実施形態の化粧料塗布具１は、一端部が開口Ａを有し、有底筒状のケース本体２ａ、および、このケース本体２ａに、前記開口Ａを開閉可能に取り付けられた蓋体２ｂからなるケース２と、粉体を、圧縮エアを用いて噴出するエアブラシ３と、このエアブラシ３にエアホース４を介して圧縮エアを供給するエア供給手段５とを備えている。
【００２７】
前記ケース本体２ａは、その底部側に、前記エア供給手段５が収納される第１収納部Ｘが設けられているとともに、開口側に、前記エアブラシ３およびエアホース４が収納される第２収納部Ｙが設けられている。前記蓋体２ａの内側には、この蓋体２ａが前記開口を開放する位置に位置させられた状態において前記エアブラシ３が載置されるエアブラシ支持手段６が設けられている。
さらにエアブラシ支持手段６には、エアブラシ３の載置状態で、エアブラシの本体部分９が嵌り込む凹部６ａが形成されている。凹部６ａは、図４に示すように、間隔を隔てて２つ設けられている。
【００２８】
前記第２収納部Ｙには、前記エアブラシ３が係止させられるブラシ係止手段７が設けられている。
【００２９】
前記エアブラシ３は、先端に粉体噴出用のノズル８を備えた本体９と、この本体９への圧縮エアの供給および停止を行なうエア制御レバー１０と、前記ノズル８近傍に設けられ前記圧縮エアによって吸引される粉体が貯留された粉体カップ１１とを備えている。
【００３０】
前記エア供給手段５は、図３に示すように、エアコンプレッサ１２と、このエアコンプレッサ１２に駆動電力を供給する電源１３と、前記駆動電力の供給を制御するコントロールユニット１４と、圧力計１５を備え圧縮エアを貯留するエアタンク１６とを備えている。前記電源１３には、蓄電池あるいは二次電池が用いられ、本実施形態では二次電池が使用されている。
【００３１】
前記コントロールユニット１４には、エア供給手段５の動作の開始と停止を切り替えるスイッチ１７と、電源１３にコントロールユニット１４を介して接続されるコネクタ１８とが接続されている。このコネクタ１８に、外部に配置される充電器が接続される。
【００３２】
これらのスイッチ１７およびコネクタ１８は、図２に示すように、ケース本体２ａの側壁に、この側壁を貫通して外部へ露出するように固定されている。
【００３３】
そして、前記コントロールユニット１４は、スイッチ１７がＯＮにセットされた際に起動されて、圧力計１５からの信号に基づいて、エアタンク１５内の圧力が所定圧力以下であることを条件としてエアコンプレッサ１２へ駆動電流を供給して駆動して、エアタンク１５内のエア圧力を所定圧力に調整するようになっている。
【００３４】
また、前記コントロールユニット１４は、電源１３の電圧を監視して、電源１３の電圧が下限値以下となった際に充電を行なわせ、上限値に至った際に充電を停止させる機能を有している。
【００３５】
一方、前記蓋体２ｂは、ケース本体２ａに蝶番１９を介して回動可能に連結されている。
【００３６】
このように構成された本実施形態の化粧料塗布具１にあっては、不使用時には、図２に示すように、エアブラシ３をケース本体２ａ内にその開口Ａから挿入するとともに、その先端のノズル８部分をブラシ係止手段７に係止させ、さらに、エアホース４を折りたたんでケース本体２ａ内にその開口Ａから挿入し、さらに、開口Ａを蓋体２ｂによって閉じることによって不使用状態とする。
【００３７】
これによって、化粧料塗布具１の構成要素の全てがケース２内に収納されてコンパクトな収納形態を実現することができる。
【００３８】
そして、塗布操作を行なう際には、まず、図４に示すように、蓋体２ｂを回動させてケース本体２ａの開口Ａを開放する。
ここで、蓋体２ｂはその内部に設けられているエアブラシ支持手段６が上方へ向けて位置させられる。
【００３９】
ついで、図５に示すように、ケース本体２ａからエアブラシ３およびエアホース４を取り出し、図５に示すように、このエアブラシ３を蓋体２ｂに設けられているエアブラシ支持手段６に載置して待機状態とする。
【００４０】
この状態において、エアブラシ３がエアホース４との絡みがない状態で保持される。
【００４１】
塗布作業を開始する際には、エアブラシ支持手段６に載置されているエアブラシ３を取り上げて被塗布部へ向け、エア制御レバー１０を操作することにより、粉体を粉体カップ１１から吸引するとともにノズル８から噴出させる。
【００４２】
そして、塗布操作を中断する際には、ノズル８を蓋体２ｂのエアブラシ支持手段６上に載置して前述した待機状態とする。
【００４３】
このように、ノズル８を取り上げる際、および、ノズル８を待機状態に戻す際に、ノズル８を常にエアホース４との絡みがない状態で取り扱うことができるので、その操作を極めて円滑なものとすることができる。
【００４４】
なお、前記実施形態において示した各構成部材の諸形状や寸法等は一例であって、設計要求等に基づき種々変更可能である。
【符号の説明】
【００４５】
１  化粧料塗布具
２  ケース
２ａ  ケース本体
２ｂ  蓋体
３  エアブラシ
４  エアホース
５  エア供給手段
６  エアブラシ支持手段
６ａ  凹部
７  ブラシ係止手段
８  ノズル
９  本体
１０  エア制御レバー
１１  粉体カップ
１２  エアコンプレッサ
１３  電源
１４  コントロールユニット
１５  圧力計
１６  エアタンク
１７  スイッチ
１８  コネクタ
１９  蝶番
Ａ  開口
Ｘ  第1収納部
Ｙ  第２収納部
【要約】
【課題】エアブラシとエアホースとの絡みを防止して、エアブラシの取り扱いを容易にし、かつ、収納時においてエアホースを簡便な作業によって小さく収納することの可能な化粧料塗布具を提供することを課題とする。
【解決手段】一端部が開口Ａされた有底筒状のケース本体２ａ、および、このケース本体に、開口を開閉可能に取り付けられた蓋体２ｂからなるケース２と、粉体を、圧縮エアを用いて噴出するエアブラシ３と、このエアブラシにエアホース４を介して圧縮エアを供給するエア供給手段５とを備え、ケース本体には、その底部側に、エア供給手段が収納される第１収納部Ｘが設けられているとともに、開口側に、エアブラシおよびエアホースが収納される第２収納部Ｙが設けられ、蓋体の内側に、この蓋体が開口を開放する位置に位置させられた状態においてエアブラシが載置されるエアブラシ支持手段６が設けられていることを特徴とする。
【選択図】図２【図１】
0006856279.tif 000002
【図２】
0006856279.tif 000003
【図３】
0006856279.tif 000004
【図４】
0006856279.tif 000005
【図５】
0006856279.tif 000006
【図６】
0006856279.tif 000007